(57)【要約】【課題】Ｎ種（Ｎは正の整数）の種類のＩＣカードに対応可能で、しかも応答性を改善できる非接触マルチカード対応機器を提案する。【解決手段】探索モード切換回路を備えた非接触マルチカード対応機器が提案される。探索モード切換回路は、少なくとも第１、第２探索モードを切換えるように構成される。第１探索モードは、それ単独でまたは前記第２探索モードとの組み合わせで、Ｎ種のすべてのＩＣカードをアクセスできるように構成され、これらの第１、第２探索モードでは、互いに異なる探索信号列が発生される。【選択図】図３
2006185078.tif 000002
【特許請求の範囲】
【請求項１】
N種（Ｎは正の整数）のＩＣカードに対するＮ種の探索信号を発生し、Ｎ種のＩＣカードに対応する非接触マルチカード対応機器であって、探索モード切換回路を備え、前記探索モード切換回路は、少なくとも第１、第２探索モードを切換えるように構成され、前記第１探索モードは、それ単独でまたは前記第２探索モードとの組み合わせで、前記Ｎ種のすべてのＩＣカードに対応するＮ種の探索信号を時系列に発生し、また、これらの第１、第２探索モードでは、互いに異なる探索信号列を発生することを特徴とする非接触マルチカード対応機器。
【請求項２】
請求項１記載の非接触マルチカード対応機器であって、前記第１、第２探索モードは、ともに前記Ｎ種のすべてのＩＣカードに対応するＮ種の探索信号を発生し、しかも前記Ｎ種のＩＣカードの中の所定の種類のＩＣカードに対する探索信号が、前記第１、第２探索モードにおいて、互いに異なる頻度で発生されることを特徴とする非接触マルチカード対応機器。
【請求項３】
請求項１記載の非接触マルチカード対応機器であって、前記第１探索モードは、前記Ｎ種のＩＣカードの中の所定の種類のＩＣカードに対する探索信号を除く探索信号列を発生し、また前記第２探索モードは、少なくとも前記所定の種類のＩＣカードに対する探索信号を含む探索信号列を発生することを特徴とする非接触マルチカード対応機器。
【請求項４】
請求項１記載の非接触マルチカード対応機器であって、前記第１探索モードでは、前記Ｎ種のＩＣカードの中の第１の種類のＩＣカードに対する探索信号の発生頻度が第２の種類のＩＣカードに対する探索信号よりも高くされ、また前記第２探索モードでは、第２の種類のＩＣカードに対する探索信号の発生頻度が前記第１の種類のＩＣカードに対する探索信号よりも高くされることを特徴とする非接触マルチカード対応機器。
【請求項５】
請求項１記載の非接触マルチカード対応機器であって、前記第１探索モードでは、前記Ｎ種のすべてのＩＣカードに対する探索信号を含む探索信号列を発生し、また前記第２探索モードでは、所定の種類のＩＣカードに対する探索信号だけを発生することを特徴とする非接触マルチカード対応機器。
【請求項６】
請求項１記載の非接触マルチカード対応機器であって、前記探索モード変換回路は、少なくとも前記第１、第２探索モードに加えて、第３探索モードを切換えるように構成され、前記第１探索モードは前記Ｎ種のすべてのＩＣカードに対する探索信号を発生し、併せて前記第２探索モードは、前記Ｎ種のＩＣカードの中の第１の種類のＩＣカードに対応する探索信号を、また前記第３探索モードは、前記Ｎ種のＩＣカードの中の第２の種類のＩＣカードに対応する探索信号を、それぞれ他の種類のＩＣカードに対応する探索信号よりも高い頻度で発生することを特徴とする非接触マルチカード対応機器。
【請求項７】
請求項１記載の非接触マルチカード対応機器であって、前記探索モード切換回路がモード切換スイッチの操作に応じて前記第１探索モードから前記第２探索モードに切換えることを特徴とする非接触マルチカード対応機器。
【請求項８】
請求項６記載の非接触マルチカード対応機器であって、前記第２、第３探索モードに対応してそれぞれ第１、第２モード切換スイッチが設けられ、前記第１モード切換スイッチにより前記第１探索モードから第２探索モードに切換えられ、また前記第２モード切換スイッチにより前記第１探索モードから前記第３探索モードに切換えられることを特徴とする非接触マルチカード対応機器。
【請求項９】
請求項７または８記載の非接触マルチカード対応機器であって、前記モード切換スイッチの操作により、所定時間だけ探索モードの切換えが行なわれることを特徴とする非接触マルチカード対応機器。
【請求項１０】
請求項７または８記載の非接触マルチカード対応機器であって、前記モード切換スイッチの操作状況を表示する表示器を設けたことを特徴とする非接触マルチカード対応機器。
【請求項１１】
請求項８記載の非接触マルチカード対応機器であって、前記第１モード切換スイッチが操作されたときに、前記第２探索モードが選択され、この第２探索モードでは、前記第１の種類のＩＣカードに対する探索信号だけが発生され、また前記第２モード切換スイッチが操作されたときに、前記第３探索モードが選択され、この第３探索モードでは、前記第２の種類のＩＣカードに対する探索信号だけが発生されることを特徴とする非接触マルチカード対応機器。
【請求項１２】
請求項８記載の非接触マルチカード対応機器であって、前記第１モード切換スイッチが操作されたときに、前記第２探索モードが選択され、この第２探索モードでは、前記第２の種類のＩＣカードに対する探索信号を削除して前記第１の種類のＩＣカードに対する探索信号を含む探索信号列が発生され、また前記第２モード切換スイッチが操作されたときに、前記第３探索モードが選択され、この第３探索モードでは、前記第１の種類のＩＣカードに対する探索信号を削除して前記第２の種類のＩＣカードに対する探索信号を含む探索信号列が発生されることを特徴とする非接触マルチカード対応機器。
【請求項１３】
請求項６記載の非接触マルチカード対応機器であって、前記第１探索モードにおいて、第２の種類のＩＣカードがアクセスされた場合に、前記第２探索モードに切換わり、この第２探索モードでは、前記第２の種類のＩＣカードに対する探索信号を削除して前記第１の種類のＩＣカードに対する探索信号を含む探索信号列が発生され、また前記第１モードにおいて、第１の種類のＩＣカードがアクセスされた場合に、前記第３探索モードが選択され、この第３探索モードでは、前記第１の種類のＩＣカードに対する探索信号を削除して前記第２の種類のＩＣカードに対する探索信号を含む探索信号列が発生されることを特徴とする非接触マルチカード対応機器。
【請求項１４】
請求項１３記載の非接触マルチカード対応機器であって、モード切換スイッチを有し、このモード切換スイッチが操作された場合に、前記第２、第３探索モードの選択が可能とされることを特徴とする非接触マルチカード対応機器。
【発明の詳細な説明】
【技術分野】
【０００１】
この発明は、複数の種類のＩＣカードに対応する非接触マルチカードリーダ・ライタなどの非接触マルチカード対応機器に関するものである。
【背景技術】
【０００２】
非接触のＩＣカードリーダ・ライタとして、特定の種類のＩＣカードのみに対応するものが知られているが、例えば１つのビル内に複数のテナントが入り、それぞれのテナントが、互いに別の種類のＩＣカードで運用を行なう場合には、それらの複数の種類のＩＣカードに対応する非接触マルチカードリード・ライタが必要となる。
【０００３】
この非接触マルチカードリーダ・ライタとして、特定の種類のＩＣカードに対応するＩＣカードリーダ・ライタを複数台準備して、複数の種類の各ＩＣカードに対応するように構成することが考えられるが、この構成では、複数のＩＣカードリーダ・ライタの設置に必要なスペースが大きくなり、またコストも高くなる。
【０００４】
非接触マルチカードリーダ・ライタとして、１つのカードリーダ・ライタで複数の種類の各ＩＣカードのそれぞれに対応するものが、例えば特開２００１−２８３１６２号公報で提案されている。
【０００５】
【特許文献１】特開２００１−２８３１６２号公報
【発明の開示】
【発明が解決しようとする課題】
【０００６】
しかし、特開２００１−２８３１６２号公報に開示されたものは、複数の種類のＩＣカードのそれぞれに対する探索信号を固定された所定順序で時系列に発生するので、応答性が悪い。
【０００７】
この発明は、この不都合に着目し、応答性を改善することのできる非接触マルチカード対応機器を提案するものである。
【課題を解決するための手段】
【０００８】
この発明による非接触マルチカード対応機器は、N種（Ｎは正の整数）のＩＣカードに対するＮ種の探索信号を発生し、Ｎ種のＩＣカードに対応する非接触マルチカード対応機器であって、探索モード切換回路を備え、前記探索モード切換回路は、少なくとも第１、第２探索モードを切換えるように構成され、前記第１探索モードは、それ単独でまたは前記第２探索モードとの組み合わせで、前記Ｎ種のすべてのＩＣカードに対応したＮ種の探索信号を発生し、また、これらの第１、第２探索モードでは、互いに異なる探索信号列が発生されることを特徴とする。
【発明の効果】
【０００９】
この発明による非接触マルチカード対応機器では、探索モード切換回路により、第１、第２探索モードを選択することが可能となり、これらに第１、第２探索モードでは、互いに異なる探索信号列を発生するので、応答性を改善することができる。
【発明を実施するための最良の形態】
【００１０】
以下この発明のいくつかの実施の形態について、図面を参照して説明する。
【００１１】
実施の形態１．
図１はこの発明による非接触マルチカード対応機器の実施の形態１と、併せて複数の種類のＩＣカードを示す構成図である。図２はこの実施の形態１の非接触マルチカード対応機器の回路構成図、図３は実施の形態１の非接触マルチカード対応機器の探索動作説明図である。
【００１２】
実施の形態１は、この発明による非接触マルチカード対応機器である非接触マルチカードリーダ・ライタの実施の形態１であり、機器本体１を備え、複数の種類のＩＣカード２、例えば３つの種類のＩＣカードＡ、Ｂ、Ｃのそれぞれに対応可能に構成される。機器本体１は、１つのモード切換スイッチ１１を有する。このモード切換スイッチ１１は、具体的には、機器本体１の上面（表面）に配置された押しボタンスイッチであり、押し下げられたときにオンとなり、押し下げを解除したときにオフとなる。なお、このモード切換スイッチ１１をトグル式のスイッチとし、それを一方に倒したときに、スイッチがオンとなり、他方に倒したときにオフとなるようにすることもできる。
【００１３】
機器本体１には、図２に示すように、探索信号回路２０と、探索モード切換回路３０と、送受信機４０が内蔵されている。探索信号回路２０は、複数の種類のＩＣカード２に対応して、複数の探索信号発信器を有する。実施の形態１では、３つの種類のＩＣカードＡ、B、Ｃに対応して３つの探索信号発信器２１ａ、２１ｂ、２１ｃを有する。これらの探索信号発信器２１ａ、２１ｂ、２１ｃは、それぞれ探索信号ａ、ｂ、ｃを発信する。探索信号ａ、ｂ、ｃは、それぞれＩＣカードＡ、Ｂ、Ｃに対する探索信号である。
【００１４】
探索モード切換回路３０は、探索信号回路２０に接続されており、各探索信号発信器２１ａ、２１ｂ、２１ｃからの探索信号ａ、ｂ、ｃを受けるモードスイッチ３１ａ、３１ｂ、３１ｃを有する。送受信機４０は、探索モード切換回路３０に接続され、機器本体１の外部に対して探索信号列ＳＳを発生する。
【００１５】
探索モード切換回路３０は、２つの探索モードＳＭ１、ＳＭ２のいずれかを選択し、送受信機４０からの探索信号列ＳＳは、これらの探索モードＳＭ１、ＳＭ２に対応して、第１探索信号列ＳＳ１または第２探索信号列ＳＳ２に切換えられる。第１探索モードＳＭ１は、例えば標準探索モードであり、次の第１探索信号列ＳＳ１を繰り返し発生する。
第１探索信号列ＳＳ１：ａ→ｂ→ａ→ｂ→ａ→ｂ→ｃ
ここでａ、ｂ、ｃは探索信号ａ、ｂ、ｃである。この第１の探索信号列ＳＳ１は、各探索信号ａ、ｂ、ｃを前記順序で時系列に発生する。この第１探索信号列ＳＳ１では、探索信号ａ、ｂの発生頻度が高く、探索信号ｃの発生頻度が低い。
【００１６】
第２探索モードＳＭ２では、送受信機４０から次の第２探索信号列ＳＳ２を繰り返し発生する。
第２探索信号列ＳＳ２：ａ→ｂ→ｃ
この第２探索信号列ＳＳ２は、第１探索信号列ＳＳ１とは相違する探索信号列である。この第２探索信号列ＳＳ２は、探索信号ａ、ｂ、ｃを同じ頻度で発生する。
【００１７】
探索モード切換回路３０は、モード切換スイッチ１１のオン操作に応じて、探索モードＳＭ１、ＳＭ２を切換え、それに応じて探索信号列ＳＳを第１探索信号列ＳＳ１または第２探索信号列ＳＳ２に切換える。モード切換スイッチ１１がオンされない状態では、第１探索モードＳＭ１が選択され、第１探索信号列ＳＳ１を繰り返し発生する。モード切換スイッチ１１が押し下げられてオンした状態では、第２探索モードＳＭ２に切換わり、第２探索信号列ＳＳ２を繰り返し発生する。
【００１８】
この第２探索モードＳＭ２に対応した探索信号列ＳＳ２は、モード切換スイッチ１１が押し下げられてオンされている期間中に限り発生され、モード切換スイッチ１１の押圧が解消されてそれがオフに復帰すると、再び第１探索モードＳＭ１が選択され、第１探索信号列ＳＳ１が繰返し発生する。
【００１９】
図３は、最初にモード切換スイッチ１１がオフ状態であり、第１探索モードＳＭ１が選択され、第１探索信号列ＳＳ１が繰り返し発生している途中の時点Ｔ１において、モード切換スイッチ１１がオン操作される場合の探索動作を示す。
【００２０】
時点Ｔ１は、第１探索信号列ＳＳ１の第１サイクルで、探索信号がａ→ｂ→ａ→ｂ→ａ→ｂ→ｃの順序で一巡し、その次の第２サイクルでａ→ｂまで経過した時点とされる。この時点Ｔ１において、モード切換スイッチ１１がオンとなり、併せて機器本体１にＩＣカードＣが、かざされて接近されたものとする。
【００２１】
モード切換スイッチ１１のオンにより、探索モード切換回路３０は時点Ｔ１において第２探索モードＳＭ２に切換わり、探索信号列ＳＳは第２探索信号列ＳＳ２に切換わる。この第２探索信号列ＳＳ２の第１サイクルで、探索信号をａ→ｂ→ｃの順序で発生する。この第２探索信号列ＳＳ２の第１サイクルで探索信号ｃが発生したときに、ＩＣカードＣからリターン信号ｃｒが受信され、このＩＣカードＣと機器本体１とのアクセスが完成する。このアクセスの完成により、機器本体１とＩＣカードＣとの間で、データのやり取りが行なわれ、ＩＣカードＣの運用がなされる。
【００２２】
実施の形態１において、第１探索モードＳＭ１に対応する第１探索信号列ＳＳ１では、ＩＣカードＡ、Ｂに対する探索信号ａ、ｂの発生頻度が大きく、ＩＣカードＡ、Ｂに対するアクセスをＩＣカードＣに比べて速やかに行なうことができる。第２探索モードＳＭ２に対応する第２探索信号列ＳＳ２では、第１探索信号列ＳＳ１に比較して、ＩＣカードＣに対する探索信号ｃの発生頻度が増大しているので、ＩＣカードＣのアクセスを速やかに行なうことができ、応答性が向上する。
【００２３】
図４は、探索モード切換回路３０を持たない従来の非接触マルチカードリーダ・ライタにおいて、図３と同様に、時点Ｔ１でＩＣカードＣを機器本体１にアクセスする場合の探索動作を参考に示す。探索信号列ＳＳは探索信号列ＳＳ１に固定され、この探索信号列ＳＳ１が繰り返し発生される。時点Ｔ１は、図３と同様、探索信号列ＳＳ１の第２サイクルの初期であるが、この第２サイクルの終期において、探索信号ｃが発生するまで、ＩＣカードＣのアクセスを行なうことがでず、応答性が悪い。
【００２４】
実施の形態１では、モード切換スイッチ１１がオンされたときに、第２探索信号列ＳＳ２を繰り返し発生しているが、モード切換スイッチ１１がオンされた場合に、単に１サイクルだけ第２探索信号列ＳＳ２を発生するように変更することもできる。実施の形態１では、第２探索信号列ＳＳ２は、モード切換スイッチ１１がオンされた場合に、探索信号ａ、ｂ、ｃを同じ頻度で発生するので、すべての種類のＩＣカードＡ、Ｂ、Ｃのアクセスを速やかに完成でき、したがって単に１サイクルの第２探策信号列ＳＳ２で充分にアクセスを完成することができる。
【００２５】
また、実施の形態１では、第２探索モードＳＭ２に対応した探索信号列ＳＳ２は、モード切換スイッチ１１が操作され、押し下げられている期間中に限り発生されるが、タイマーを用いてモード切換スイッチ１１がオンされてから所定時間内に限り、第２探索モードＳＭ２を選択し、探索信号列ＳＳ２を繰り返し発生させることもできる。この場合、モード切換スイッチ１１は、極短時間押し下げるだけでよく、操作性を向上することができる。また、所定期間経過後に自動的に第１探索モードＳＭ１に復帰するので、ＩＣカードＡ、Ｂに対する探索信号ａ、ｂが低い第２探索モードＳＭ２は所定時間に限ることができる。
【００２６】
また、実施の形態１において、モード切換スイッチ１１に、それがオンされたときに点灯するＬＥＤなどの表示器１１ａを併設することもできる。この表示器１１ａは、モード切換スイッチ１１の中に内蔵することができ、それらがオンされたときに点灯して、探索モードＳＭ２の識別を可能にし、モード切換スイッチ１１の操作ミスを防止する。
【００２７】
実施の形態２．
この実施の形態２は、実施の形態１における第１、第２探索モードＳＭ１、ＳＭ２に対応する第１、第２探索信号列ＳＳ１、ＳＳ２を次の通り、変更したものである。その他は、実施の形態１と同じに構成される。
第１探索信号列ＳＳ１：ａ→ｂ→ａ→ｂ→ａ→ｂ
第２探索信号列ＳＳ２：ａ→ｂ→ｃ
なお、ａ、ｂ、ｃはＩＣカードＡ、Ｂ、Ｃに対する探索信号ａ、ｂ、ｃである。
【００２８】
この実施の形態２は、第１探索信号列ＳＳ１を、使用頻度の高いＩＣカードＡ、Ｂに対する探索信号ａ、ｂだけを繰り返し３回発生するモードとして、ＩＣカードＡ、Ｂに対する応答性を実施の形態１よりも向上したものである。使用頻度の低いＩＣカードＣは、モード切換スイッチ１１をオンすることにより、速やかにアクセスできる。
【００２９】
実施の形態３．
図５は、この発明による非接触マルチカード対応機器である非接触マルチカードリーダ・ライタの実施の形態３を示す。この実施の形態３は、機器本体１に複数のモード切換スイッチ、例えば３個のモード切換スイッチ１１、１２、１３を配置したものである。これらのモード切換スイッチ１１、１２、１３は、それぞれ機器本体１の上面（表面）に並べて配置された押しボタンスイッチであり、押し下げられたときにオンとなり、押し下げを解除したときにオフに復帰する。なお、このモード切換スイッチ１１、１２、１３も、トグル式のスイッチとし、それを一方に倒したときに、スイッチがオンとなり、他方に倒したときにオフとなるようにすることもできる。
【００３０】
この実施の形態３では、３つのモード切換スイッチ１１、１２、１３のいずれもが操作されずにオフしている場合に、探索モード切換回路３０が第１探索モードＳＭ１を選択し、送受信機４０から次の第１探索信号列ＳＳ１を送信するように構成される。
第１探索信号列ＳＳ１：ａ→ｂ→ｃ
【００３１】
モード切換スイッチ１１がオンされた場合には、探索モード切換回路３０は第２探索モードＳＭ２を選択し、送受信機４０は次の第２探索信号列ＳＳ２を繰返し発生する。同様に、モード切換スイッチ１２、１３がオンされた場合には、探索モード切換回路３０は、それぞれ第３探索モードＳＭ３、第４探索モードＳＭ４を選択し、送受信機４０はそれぞれ、次の第３探索信号列ＳＳ３、第４探索信号列ＳＳ４を繰返し発生する。
第２探索信号列ＳＳ２：ａ→ａ
第３探索信号列ＳＳ３：ｂ→ｂ
第４探索信号列ＳＳ４：ｃ→ｃ
【００３２】
ａ、ｂ、ｃは、種類の異なるＩＣカードＡ、Ｂ、Ｃのそれぞれの探索信号であり、この実施の形態３の非接触マルチカードリーダ・ライタは、３種類のＩＣカードＡ、Ｂ、Ｃのそれぞれに対応できる。
【００３３】
この実施の形態３では、第１探索モードＳＭ１では、探索信号ａ、ｂ、ｃが均等な頻度で順番に発生し、ＩＣカードＡ、Ｂ、Ｃを均等にアクセスすることができる。しかしモード切換スイッチ１１、１２、１３をオンにして、第２、第３、第４の探索モードＳＭ２、ＳＭ３、ＳＭ４を選択すると、それぞれＩＣカードＡ、Ｂ、Ｃを優先的に、直ちにアクセスすることができ、各ＩＣカードＡ〜Ｃに対する応答性を向上することができる。
【００３４】
実施の形態３において、各モード切換スイッチ１１、１２、１３には、それぞれがオンされたときに点灯するＬＥＤなどの表示器１１ａ、１２ａ、１３ａを併設する。この表示ランプ１１ａ、１２ａ、１３ａは、モード切換スイッチ１１、１２、１３の中に内蔵することができ、それらがオンされたときに点灯して、探索モードＳＭ１からＳＭ４の識別を可能にし、モード切換スイッチ１１、１２、１３の操作ミスを防止する。また、この実施の形態３においても、モード切換スイッチ１１、１２、１３をオンしたときに、タイマーにより、第２、第３、第４探索モードＳＭ２、ＳＭ３、ＳＭ４を所定時間に限定し、所定時間の経過後に自動的に、第１探索モードＳＭ１に復帰するように構成することもできる。
【００３５】
実施の形態４．
この実施の形態４は、実施の形態３において、第１〜第４探索モードＳＭ１〜ＳＭ４のそれぞれに対応する第１〜第４探索信号列ＳＳ１〜ＳＳ４を次の通り変更したものである。
第１探索信号列ＳＳ１：ａ→ｂ→ｃ
第２探索信号列ＳＳ２：ａ→ｂ
第３探索信号列ＳＳ３：ａ→ｃ
第４探索信号列ＳＳ４：ｂ→ｃ
【００３６】
この実施の形態４においても、３つのモード切換スイッチ１１、１２、１３が配置される。この実施の形態４では、３つのモード切換スイッチ１１、１２、１３のいずれもが操作されずにオフしている場合に、探索モード切換回路３０が第１探索モードＳＭ１を選択し、送受信機４０から第１探索信号列ＳＳ１を送信するように構成される。
【００３７】
モード切換スイッチ１１がオンされた場合には、探索モード切換回路３０は第２探索モードＳＭ２を選択し、送受信機４０は次の第２探索信号列ＳＳ２を繰返し発生する。同様に、モード切換スイッチ１２、１３がオンされた場合には、探索モード切換回路３０は、それぞれ第３探索モードＳＭ３、第４探索モードＳＭ４を選択し、送受信機４０はそれぞれ、第３探索信号列ＳＳ３、第４探索信号列ＳＳ４を繰返し発生する。
【００３８】
この実施の形態４では、モード切換スイッチ１１がオンされた第２探索モードＳＭ２では、モード切換スイッチ１１のオンに伴ない、第１探索モードＳＭ１による第１探索信号列ＳＳ１の探索信号ｃが削除され、第２探索信号列ＳＳ２（ａ→ｂ）が発生される。同様に、モード切換スイッチ１２がオンされた第３探索モードＳＭ３では、モード切換スイッチ１２のオンに伴ない、第１探索モードＳＭ１による第１探索信号列ＳＳ１の探索信号ｂが削除され、第３探索信号列ＳＳ３（ａ→ｃ）が発生される。また、モード切換スイッチ１３がオンされた第４探索モードＳＭ４では、モード切換スイッチ１３のオンに伴ない、第１探索モードＳＭ１による第１探索信号列ＳＳ１の探索信号ａが削除され、第４探索信号列ＳＳ３（ｂ→ｃ）が発生される。
【００３９】
この実施の形態４では、第１探索モードＳＭ１では、探索信号ａ、ｂ、ｃが均等な頻度で順番に発生し、ＩＣカードＡ、Ｂ、Ｃを均等にアクセスすることができる。しかしモード切換スイッチ１１、１２、１３をオンにして、第２、第３、第４の探索モードＳＭ２、ＳＭ３、ＳＭ４を選択すると、第２探索モードＳＭ２では、ＩＣカードＡ、Ｂを優先的に、第３探索モードＳＭ３では、ＩＣカードＡ、Ｃを優先的に、また第４探索モードＳＭ４ではＩＣカードＢ、Ｃを優先的に、それぞれより速やかにアクセスすることができ、各ＩＣカードＡ〜Ｃに対する応答性を向上することができる。この実施の形態４では、第２探索モードＳＭ２では、ＩＣカードＣに対する探索信号ｃを、また第３探索モードＳＭ３では、ＩＣカードＢに対する探索信号ｂを、また第４探索モードＳＭ４では、ＩＣカードＡに対する探索信号ａをそれぞれ削除するので、他のＩＣカードにアクセスを速やかに行なうことができる。
【００４０】
実施の形態５．
この実施の形態５は、実施の形態４において、モード切換スイッチ１１、１２、１３を省略し、所定の種類のＩＣカードがアクセスされた場合に、所定時間だけ、その所定のＩＣカードに対する探索信号を削除した探索信号列を発生するようにしたものである。
【００４１】
この実施の形態５では、探索モード切換回路３０は、実施の形態４と同じに、第１〜第４探索モードＳＭ１〜ＳＭ４を選択でき、この第１〜第４探索モードＳＭ１〜ＳＭ４のそれぞれに対応して、実施の形態４と同じ第１〜第４探索信号列ＳＳ１〜ＳＳ４が発生される。
【００４２】
この実施の形態５では、探索モード切換回路３０は、常時には、第１探索モードＳＭ１を選択し、第１探索信号列ＳＳ１（ａ→ｂ→ｃ）を繰返し発生するが、この状態でＩＣカードＣのアクセスが行なわれると、所定時間だけ第２探索モードＳＭ２に切換わり、ＩＣカードＣの探索信号ｃを削除した第２探索信号列ＳＳ２（ａ→ｂ）を発生する。同様に、第１探索モードＳＭ１で、ＩＣカードＢのアクセスが行なわれると、所定時間だけ第３探索モードＳＭ３に切換わり、ＩＣカードＣの探索信号ｂを削除した第３探索信号列ＳＳ３（ａ→ｃ）を発生し、また、第１探索モードＳＭ１で、ＩＣカードＡのアクセスが行なわれると、第４探索モードＳＭ４に切換わり、ＩＣカードＡの探索信号ａを削除した第４探索信号列ＳＳ４（ｂ→ｃ）を発生する。
【００４３】
この実施の形態５でも、第１探索モードＳＭ１では、探索信号ａ、ｂ、ｃが均等な頻度で順番に発生し、ＩＣカードＡ、Ｂ、Ｃを均等にアクセスすることができる。しかしこの第１探索モードＳＭ１でＩＣカードＣ、Ｂ、Ａがアクセスされると、それぞれ所定時間だけ第２、第３、第４の探索モードＳＭ２、ＳＭ３、ＳＭ４が選択される。この第２探索モードＳＭ２では、ＩＣカードＡ、Ｂを、第３探索モードＳＭ３では、ＩＣカードＡ、Ｃを、また第４探索モードＳＭ４ではＩＣカードＢ、Ｃをより速やかにアクセスすることができ、各ＩＣカードＡ〜Ｃに対する応答性を向上することができる。
【００４４】
実施の形態５において、実施の形態１と同様に、機器本体１に一つのモード切換スイッチ１１を設け、このモード切換スイッチ１１がオンされた状態で、しかもＩＣカードＣ、Ｂ、Ａのアクセスが行なわれたときに、それぞれ第２、第３、第４探索モードＳＭ２、ＳＭ３、ＳＭ４が選択されるように、変更することもできる。
【００４５】
実施の形態６．
図６はこの発明による非接触マルチカード対応機器である非接触マルチカードリーダ・ライタの実施の形態６を示す。この実施の形態６は、実施の形態１におけるモード切換スイッチ１１を機器本体１の底面（裏面）に配置したものである。
【００４６】
モード切換スイッチ１１を機器本体１の底面（裏面）に配置するので、モード変換スイッチ１１が、いたずらなどで誤って操作される恐れをなくすことができ、セキュリティが向上する。
【００４７】
なお、実施の形態３、４についても、モード切換スイッチ１１、１２、１３を、機器本体１の底面（裏面）に配置することにより、同様に、セキュリティを向上することができる。
【産業上の利用可能性】
【００４８】
この発明は、非接触マルチカードリーダ・ライタなどの非接触マルチカード対応機器として利用される。
【図面の簡単な説明】
【００４９】
【図１】図１はこの発明による非接触マルチカード対応機器の実施の形態１を、対応する複数のＩＣカードとともに示す構成図である。
【図２】図２は実施の形態１の回路構成図である。
【図３】図３は実施の形態１の探索動作説明図である。
【図４】図４は従来装置の探索動作説明図である。
【図５】図５はこの発明による非接触マルチカード対応機器の実施の形態３を、対応する複数のＩＣカードとともに示す構成図である。
【図６】図６はこの発明による非接触マルチカード対応機器の実施の形態６を示す構成図である。
【符号の説明】
【００５０】
１：機器本体、１１、１２、１３：モード切換スイッチ、
１１ａ、１２ａ、１３ａは表示器、２はＩＣカード、
２０：探索信号回路、２１ａ、２１ｂ、２１ｃ：探索信号発信器、
３０：探索モード変換回路、３１ａ、３１ｂ、３１ｃ：モードスイッチ、
４０：送受信機。
【図１】
2006185078.tif 000003
【図２】
2006185078.tif 000004
【図３】
2006185078.tif 000005
【図４】
2006185078.tif 000006
【図５】
2006185078.tif 000007
【図６】
2006185078.tif 000008